(57)【要約】  【課題】マイクをボーカル用とスピーチ用に好適に利用することのできる音声信号処理装置を提供する。  【解決手段】音声信号処理装置１は、オーディオ信号とマイク信号とを混合して出力する装置であり、マイク信号における音量および音質の少なくとも一方を調整するマイク信号調整部１３と、オーディオ信号の有無を検出するオーディオ信号検出部１１とを備える。マイク信号調整部１３は、マイク２３をボーカルに利用するのに適したボーカル調整特性が設定されたボーカル調整部６１と、マイク２３をスピーチに利用するのに適したスピーチ調整特性が設定されたスピーチ調整部６３とを備え、オーディオ信号の有無に応じてボーカル調整部６１またはスピーチ調整部６３に切り替える。【選択図】  図１
2008278003.tif 000002
【特許請求の範囲】
【請求項１】
オーディオ信号とマイク信号とを混合して出力する音声信号処理装置であって、
前記マイク信号における音量および音質の少なくとも一方を調整するマイク信号調整部と、前記オーディオ信号の有無を検出するオーディオ信号検出部とを備え、
前記マイク信号調整部は、マイクをボーカルに利用するのに適したボーカル調整特性が設定されたボーカル調整部と、前記マイクをスピーチに利用するのに適したスピーチ調整特性が設定されたスピーチ調整部と、前記オーディオ信号の有無に応じて前記ボーカル調整部または前記スピーチ調整部に切り替える調整特性切替部とを有することを特徴とする音声信号処理装置。
【請求項２】
前記マイク信号調整部では前記マイク信号の音量が調整され、前記ボーカル調整特性と前記スピーチ調整特性とでは音量調整量が異なっており、前記スピーチ調整特性の音量調整量は、ボーカルとスピーチとの声量差を補う差分量を前記ボーカル調整特性の音量調整量に対して追加した値であることを特徴とする請求項１に記載の音声信号処理装置。
【請求項３】
前記マイク信号調整部では前記マイク信号の音質が調整され、前記ボーカル調整特性と前記スピーチ調整特性とでは音質を調整する周波数特性が異なっており、前記スピーチ調整特性では、前記ボーカル調整特性の周波数特性に対して、スピーチ利用では不要になる周波数成分が抑制されていることを特徴とする請求項１または２に記載の音声信号処理装置。
【請求項４】
エコー信号を生成するエコー処理部を有し、前記エコー処理部は、前記エコー信号を生成するエコー信号生成部と、前記エコー信号生成部の入力側に設けられ、前記オーディオ信号の有無に応じて、前記エコー信号生成部へ前記マイク信号を入力するか否かを切り替えるエコー入力切替部とを有することを特徴とする請求項１ないし３のいずれかに記載の音声信号処理装置。
【請求項５】
前記オーディオ信号の音量を調整するオーディオ音量調整部を備え、
前記オーディオ信号検出部は、前記オーディオ音量調整部から出力される信号における音量の有無によって、前記オーディオ信号の有無を検出することを特徴とする請求項１ないし４のいずれかに記載の音声信号処理装置。
【請求項６】
前記調整特性切替部における前記ボーカル調整特性および前記スピーチ調整特性の切替を手動で操作する手動操作部を備えたことを特徴とする請求項１ないし５のいずれかに記載の音声信号処理装置。
【請求項７】
オーディオ信号とマイク信号とを混合して出力する音声信号処理方法であって、
前記オーディオ信号の有無を検出し、前記オーディオ信号の有無の検出結果に応じて、前記マイク信号における音量および音質の少なくとも一方を調整するマイク信号調整処理を行い、
前記マイク信号調整処理では、マイクをボーカルに利用するのに適したボーカル調整特性と、前記マイクをスピーチに利用するのに適したスピーチ調整特性とが設定されており、前記オーディオ信号の有無に応じて前記ボーカル調整特性または前記スピーチ調整特性に切り替えることを特徴とする音声信号処理方法。
【発明の詳細な説明】
【技術分野】
【０００１】
本発明は、オーディオ信号とマイク信号とを混合して出力する音声信号処理装置に関する。
【背景技術】
【０００２】
従来、宴会場などの各種の施設において、ミキサーと呼ばれる音声信号処理装置が使用されている。ミキサーは、音源機器とマイクに接続される。音源機器は演奏機器等であり、オーディオ信号（演奏の音声信号）をミキサーに入力する。また、マイクからはマイク信号（マイクで生成される音声信号）がミキサーに入力される。そして、ミキサーは、オーディオ信号とマイク信号を混合して、アンプ等へ出力する。
【０００３】
また、従来、この種の音声信号処理装置において、オーディオ信号の有無を検出し、オーディオ信号が無いときにミキサーアンプへのマイク信号の入力を遮断する技術が提案されている。この従来技術によれば、演奏が終わったときにマイク電源をオフにする手作業を省くことができる（特許文献１参照）。
【特許文献１】特開平８−３３０８９号公報
【発明の開示】
【発明が解決しようとする課題】
【０００４】
しかしながら、従来の音声信号処理装置においては、演奏が終わったときにマイク電源をオフにする手間が省けるものの、演奏の後に同じマイクを使ってスピーチを行う場合に対応できないという問題があった。
【０００５】
演奏後のスピーチに対応するためには、オーディオ信号の有無に拘わらずマイク信号をミキサーアンプに入力し続けることも考えられる。しかし、演奏中にボーカル用に使っていたマイクをそのままスピーチ用に使うと、音量が不足したりハウリングが発生して、スピーチがよく聞こえないことがある。
【０００６】
本発明は、従来の問題を解決するためになされたものであり、その目的は、マイクをボーカル用とスピーチ用に好適に利用することのできる音声信号処理装置を提供することにある。
【課題を解決するための手段】
【０００７】
本発明の音声信号処理装置は、オーディオ信号とマイク信号とを混合して出力する装置であって、前記マイク信号における音量および音質の少なくとも一方を調整するマイク信号調整部と、前記オーディオ信号の有無を検出するオーディオ信号検出部とを備え、前記マイク信号調整部は、マイクをボーカルに利用するのに適したボーカル調整特性が設定されたボーカル調整部と、前記マイクをスピーチに利用するのに適したスピーチ調整特性が設定されたスピーチ調整部と、前記オーディオ信号の有無に応じて前記ボーカル調整部または前記スピーチ調整部に切り替える調整特性切替部とを有している。
【０００８】
この構成により、オーディオ信号の有無が検出され、オーディオ信号の有無に応じて、マイク信号調整部の調整特性が、ボーカル調整特性とスピーチ調整特性の間で切り替えられる。これにより、演奏中はボーカル調整特性に従ってマイク信号を調整でき、演奏が終わると自動的にスピーチ調整特性に従ってマイク信号を調整でき、マイクをボーカル用とスピーチ用に好適に利用することができる。
【０００９】
また、本発明の音声信号処理装置においては、前記マイク信号調整部では前記マイク信号の音量が調整され、前記ボーカル調整特性と前記スピーチ調整特性とでは音量調整量が異なっており、前記スピーチ調整特性の音量調整量は、ボーカルとスピーチとの声量差を補う差分量を前記ボーカル調整特性の音量調整量に対して追加した値である。この構成により、ボーカル利用時よりもスピーチ利用時の音量を増大させて、スピーチでの音量不足を回避できる。したがって、ボーカル後に同じマイクを使用しても、スピーチがよく聞こえるようにすることができる。
【００１０】
また、本発明の音声信号処理装置においては、前記マイク信号調整部では前記マイク信号の音質が調整され、前記ボーカル調整特性と前記スピーチ調整特性とでは音質を調整する周波数特性が異なっており、前記スピーチ調整特性では、前記ボーカル調整特性の周波数特性に対して、スピーチ利用では不要になる周波数成分が抑制されている。この構成では、ボーカル利用時と比べてスピーチ利用時に必要な周波数帯域が狭いことに着目している。この点を踏まえ、スピーチ利用時に不要な周波数成分を抑制することにより、ハウリングを低減することができる。
【００１１】
また、本発明の音声信号処理装置は、エコー信号を生成するエコー処理部を有し、前記エコー処理部は、前記エコー信号を生成するエコー信号生成部と、前記エコー信号生成部の入力側に設けられ、前記オーディオ信号の有無に応じて、前記エコー信号生成部へ前記マイク信号を入力するか否かを切り替えるエコー入力切替部とを有する。
【００１２】
この構成により、エコーのオンオフも自動的に切り替えられる。従来はエコー出力がミュートされているのに対して、本発明ではエコーの入力側がミュートされている。これにより、切替時点で既に入力されたマイク信号のエコー処理は最後まで継続される。したがって、エコーが突然に不自然に切れるのを防ぎ、エコーの切れ際を自然にすることができる。
【００１３】
また、本発明の音声信号処理装置は、前記オーディオ信号の音量を調整するオーディオ音量調整部を備え、前記オーディオ信号検出部は、前記オーディオ音量調整部から出力される信号における音量の有無によって、前記オーディオ信号の有無を検出する。
【００１４】
この構成により、オーディオ音量調整部から出力される信号における音量の有無によって、オーディオ信号の有無が検出される。これにより、演奏が終わってオーディオ入力が終了したときだけでなく、オーディオ音量調整部で音量が絞られたときも、マイクをスピーチ用に好適に利用することができる。例えば、演奏の途中で急にスピーチが必要になったときにも、オーディオ音量調整部で音量を絞ることにより、マイクを自動的にスピーチ用に好適に利用することができる。
【００１５】
また、本発明の音声信号処理装置は、前記調整特性切替部における前記ボーカル調整特性および前記スピーチ調整特性の切替を手動で操作する手動操作部を備えている。この構成により、演奏無しでマイクをボーカル用に利用したいとき、例えばアカペラの場合に、マイクをボーカル用に好適に利用できる。
【００１６】
本発明の別の態様は、オーディオ信号とマイク信号とを混合して出力する音声信号処理方法であって、前記オーディオ信号の有無を検出し、前記オーディオ信号の有無の検出結果に応じて、前記マイク信号における音量および音質の少なくとも一方を調整するマイク信号調整処理を行い、前記マイク信号調整処理では、マイクをボーカルに利用するのに適したボーカル調整特性と、前記マイクをスピーチに利用するのに適したスピーチ調整特性とが設定されており、前記オーディオ信号の有無に応じて前記ボーカル調整特性または前記スピーチ調整特性に切り替える。この方法によっても上述の本発明の利点が得られる。
【発明の効果】
【００１７】
本発明は、オーディオ信号の有無に応じて、マイク信号調整部の調整特性をボーカル調整特性とスピーチ調整特性の間で切り替える構成を設けることにより、マイクをボーカル用とスピーチ用に好適に利用できるという効果を有する音声信号処理装置を提供することができる。
【発明を実施するための最良の形態】
【００１８】
以下、本発明の実施の形態の音声信号処理装置について、図面を用いて説明する。
【００１９】
本発明の実施の形態に係る音声信号処理装置を図１に示す。音声信号処理装置１は、概略的にはオーディオ信号とマイク信号を混合して出力する装置であり、例えば、宴会場などの施設に備えられるミキサー装置である。オーディオ信号は演奏の音声信号であり、マイク信号はマイクから入力される音声信号である。
【００２０】
図１において、音声信号処理装置１は、オーディオ信号を入力するＬ側およびＲ側のオーディオ入力端子３、３と、マイク信号を入力するマイク入力端子５と、入力されたオーディオ信号およびマイク信号を混合するミキシング部７と、ミキシング部７で混合された音声信号を出力するＬ側、Ｒ側の出力端子９、９とを備えている。さらに、音声信号処理装置１は、オーディオ信号の有無を検出するオーディオ信号検出部１１と、マイク信号における音量および音質を調整するマイク信号調整部１３と、マイク信号からエコー信号を生成するエコー処理部１５と、マイク信号調整部１３の特性切替を手動で行うための手動操作部１７とを有している。上記構成において、オーディオ信号検出部１１、マイク信号調整部１３、エコー処理部１５といった構成はミキシング部７とともにＤＳＰ（デジタルシグナルプロセッサ）によって構成されてよい。
【００２１】
オーディオ入力端子３、３には、演奏機器２１が接続され、演奏機器２１からオーディオ信号が入力される。演奏機器２１以外の音源機器が接続されてよく、例えば、ＣＤプレーヤー等の音声再生装置が接続されてよい。マイク入力端子５にはマイク２３が接続され、マイク２３からマイク信号が入力される。マイク２３がワイヤレスタイプであり、ワイヤレス送受信機を介してマイク信号が入力されてもよい。また、出力端子９、９には、図示されないが、アンプを介してスピーカが接続される。出力端子９、９にアンプ内蔵スピーカが接続されてもよいことはもちろんである。
【００２２】
また、オーディオ入力端子３、３とミキシング部７の間には、オーディオ信号増幅器３１およびオーディオ音量調整部３３が配置されている。オーディオ音量調整部３３からは、オーディオ信号が、ミキシング部７およびオーディオ信号検出部１１に供給される。
【００２３】
オーディオ信号検出部１１は、ＭＩＸ部４１、検出器４３およびスイッチ４５を有している。ＭＩＸ部４１は加算器であり、Ｌ側、Ｒ側のオーディオ信号を加算する。検出器４３は、加算後のオーディオ信号を検出する。検出器４３では、オーディオ信号の音量レベルが所定の閾値以上の時にオーディオ信号が検出されてよい。スイッチ４５は、後述するように手動／自動切替えに用いられる。オーディオ信号の有無の検出結果は、検出器４３からスイッチ４５を介してマイク信号調整部１３およびエコー処理部１５に供給される。
【００２４】
マイク入力端子５とミキシング部７の間には、マイク信号増幅器５１、マイク音量調整部５３およびマイク信号調整部１３が配置され、マイク信号調整部１３からミキシング部７とエコー処理部１５へと、調整後のマイク信号が供給される。マイク信号調整部１３とミキシング部７の間には、図中に点線で示すように、さらに、ハウリング抑制部５５（デジタルハウリングサプレッサ）が設けられてもよい。
【００２５】
マイク信号調整部１３は、マイク信号の音量および音質を調整する構成であり、ボーカル調整部６１、スピーチ調整部６３、第１切替部６５および第２切替部６７を有する。
【００２６】
ボーカル調整部６１にはボーカル調整特性が設定されている。ボーカル調整特性は、マイク２３をボーカルに利用するのに適した特性である。より詳細には、ボーカル調整部６１は、ボーカル用イコライザ７１とボーカル音量調整部７３とを有する。このうち、イコライザの周波数特性制御機能により、音質が調整される。そして、ボーカル用イコライザ７１の周波数特性およびボーカル音量調整部７３の音量が、マイク２３のボーカル利用に適して設定されている。
【００２７】
同様に、スピーチ調整部６３にはスピーチ調整特性が設定されている。スピーチ調整特性は、マイク２３をスピーチに利用するのに適した特性である。スピーチ調整部６３は、スピーチ用イコライザ７５とスピーチ音量調整部７７とを有し、スピーチ用イコライザ７５の周波数特性およびスピーチ音量調整部７７の音量が、マイク２３のスピーチ利用に適して設定されている。
【００２８】
上記のボーカル調整特性およびスピーチ調整特性は、プリセット機能を用いて予め設定されている。これら調整特性は、製造時に設定されてもよく、また、ユーザ操作によって設定されてもよい。
【００２９】
ここで、図２を参照し、ボーカル調整特性およびスピーチ調整特性の好適な例について説明する。図２において、横軸は周波数であり、縦軸は音量であり、ボーカル調整特性およびスピーチ調整特性が、周波数と音量の関係によって示されている。
【００３０】
まず、音量設定について説明すると、図示のように、高音側および低音側の帯域を除く主な帯域において、スピーチ調整特性のラインの方がボーカル調整特性より上にある。このように、音量に関しては、ボーカルの音量調整量よりもスピーチの音量調整量の方を大きくすることが好適である。
【００３１】
音量設定についてさらに説明すると、一般にスピーチとボーカルでは声量差（声の音量の差）があり、マイク入力音量としてはボーカルの声（歌唱者の声）よりスピーチの声（話者の声）が小さい傾向が見られる。そのため、ボーカル時とスピーチ時とで音量調整量が同じであると、スピーチの音量（スピーカ出力）が小さくなり、スピーチがよく聞きとれなくなる可能性がある。このことを考慮し、スピーチ調整特性の音量調整量が、ボーカルとスピーチとの声量差を補う差分量をボーカル調整特性の音量調整量に対して追加した値に設定され、その結果、図示のようにスピーチ音量調整設定がボーカル音量調整設定より大きくなっている。
【００３２】
なお、実際のシステムでは、ボーカルとスピーチでの音量が現場で調整され、その結果として上記の声量差を補う差分量だけボーカル音量調整量とスピーチ音量調整量が異なって設定されてよい。また、標準的なボーカルとスピーチとの声量差が統計値などから求められ、声量差から差分量が計算等により求められてもよい。
【００３３】
次に、音質の設定について説明する。音質は、周波数に応じた音量の変化である周波数特性により表される。図２に示すように、ボーカル調整特性では、周波数特定が全体域でほぼフラットである。これに対して、スピーチ調整特性では、ボーカル調整特性よりも帯域が狭くなっており、高音側および低音側の帯域の周波数成分が抑制されている。これら抑制帯域は、ボーカル時には表現を豊かにするために必要であるが、スピーチ時には不要であり、そこで、スピーチに不要な帯域が抑制されている。このように不要な帯域の成分を抑制することで、ハウリングの発生確率を下げられ、スピーチ時のハウリングを低減できる。
【００３４】
以上にボーカル調整特性とスピーチ調整特性について説明した。これら特性は既に説明したように、図１のマイク信号調整部１３のボーカル調整部６１およびスピーチ調整部６３によって実現される。ボーカル調整部６１におけるボーカル用イコライザ７１の周波数特性とボーカル音量調整部７３の音量調整量が一緒になって図２のボーカル調整特性を実現するように設定され、同様に、スピーチ調整部６３におけるスピーチ用イコライザ７５の周波数特性とスピーチ音量調整部７７の音量調整量が一緒になって図２のスピーチ調整特性を実現するように設定されている。
【００３５】
また、図１において、第１切替部６５および第２切替部６７は、マイク信号調整部１３の入力側および出力側に設けられており、これらは調整特性切替部として機能し、オーディオ信号の有無に応じてボーカル調整特性とスピーチ調整特性との切替えを行う。図では、第１切替部６５および第２切替部６７の各々が、概念的にリレーおよびスイッチで示されているが、実際の構成では第１切替部６５および第２切替部６７はＤＳＰにより実現されてよい（後述するエコー切替部も同様）。
【００３６】
第１切替部６５および第２切替部６７のリレー部には、オーディオ信号検出部１１から、オーディオ信号有無の検出結果が入力される。オーディオ信号が有りの時、第１切替部６５および第２切替部６７は、ボーカル調整部６１にマイク信号を処理させる。また、オーディオ信号が無しの時、第１切替部６５および第２切替部６７は、スピーチ調整部６３にマイク信号を処理させる。
【００３７】
次に、エコー処理部１５について説明する。エコー処理部１５は、エコー信号生成部８１、エコー音量調整部８３およびエコー入力切替部８５を有している。エコー信号生成部８１は、マイク信号を遅延させることによってエコー信号を生成する。エコー音量調整部８３は、エコー信号の音量を調整する。そして、調整後のエコー信号がミキシング部７に供給され、オーディオ信号およびマイク信号と混合される。
【００３８】
エコー入力切替部８５は、エコー機能のオンオフを切り替える構成である。エコー入力切替部８５は、エコー信号生成部８１の入力側に設けられており、オーディオ信号の有無に応じて、エコー信号生成部８１へマイク信号を入力するか否かを切り替える。エコー入力切替部８５は、第１切替部６５および第２切替部６７と同様、概念的にはリレーおよびスイッチで構成されている。そして、リレー部に、オーディオ信号検出部１１から、オーディオ信号有無の検出結果が入力される。オーディオ信号が有りの時、エコー入力切替部８５は、エコー信号生成部８１にマイク信号を入力する。オーディオ信号が無しの時、エコー入力切替部８５は、エコー信号生成部８１へマイク信号を入力しないように切替動作する。
【００３９】
次に、手動操作部１７について説明する。手動操作部１７は、マイク信号調整部１３での特性切替およびエコー処理部１５でのエコーのオンオフを手動で切り替えるための構成である。手動操作部１７が操作されると、スイッチ４５が手動側に切り替えられる。そして、手動操作部１７を操作することにより、操作信号がマイク信号調整部１３の第１切替部６５、第２切替部６７へと供給され、オーディオ信号の有無に拘わらず調整特性を切り替えることができる。また、操作信号がエコー処理部１５のエコー入力切替部８５へも入力され、オーディオ信号の有無に拘わらずエコーのオンオフを切り替えることができる。
【００４０】
以上に、本実施の形態に係る音声信号処理装置１の構成について説明した。次に、音声信号処理装置１の動作について説明する。まず、オーディオ信号有りの場合の動作について説明する。ここでは、スイッチ４５は自動側に設定されているものとする。
【００４１】
演奏機器２１からオーディオ信号が入力されており、かつ、オーディオ音量調整部３３で音量が絞られていない場合、オーディオ信号がオーディオ信号検出部１１に入力されて、ＭＩＸ部４１を介して検出器４３に供給され、検出器４３でオーディオ信号が検出される。そして、“オーディオ信号有り”がマイク信号調整部１３およびエコー処理部１５に伝えられる。
【００４２】
マイク信号調整部１３では、オーディオ有りの情報が、第１切替部６５および第２切替部６７に供給され、第１切替部６５および第２切替部６７が、ボーカル調整部６１にマイク信号を処理させる。これにより、ボーカル調整特性でマイク信号が処理される。すなわち、ボーカル用イコライザ７１にてボーカルに適した周波数特性でマイク信号が処理され、さらに、ボーカル音量調整部７３にてボーカルに適した音量設定でマイク信号が処理される。調整後のマイク信号は、ミキシング部７とエコー処理部１５に供給される。
【００４３】
エコー処理部１５では、オーディオ信号有りの情報が、エコー入力切替部８５に入力され、エコー入力切替部８５が、マイク信号をエコー信号生成部８１へ入力させる。エコー信号生成部８１で遅延処理によってエコー信号が生成され、エコー信号の音量がエコー音量調整部８３で調整され、調整後のエコー信号がミキシング部７へ供給される。
【００４４】
ミキシング部７は、オーディオ信号、マイク信号およびエコー信号を混合して、混合された音声信号が出力端子９、９からスピーカへ向けて出力される。このように、オーディオ信号が検出されたときは、ボーカルに適したボーカル調整特性に従ってマイク信号が処理され、エコーもかけられる。
【００４５】
次に、オーディオ信号無しの場合の動作について説明する。ここでも、スイッチ４５は自動側に設定されているものとする。
【００４６】
演奏機器２１での演奏が終わり、オーディオ信号の入力が止まったとする。また、オーディオ信号は入力されているが、オーディオ音量調整部３３で音量が絞られたとする。これらの場合には、オーディオ信号がオーディオ信号検出部１１で検出されなくなり、そして、“オーディオ信号無し”がマイク信号調整部１３およびエコー処理部１５に伝えられる。
【００４７】
マイク信号調整部１３では、オーディオ無しの情報が、第１切替部６５および第２切替部６７に供給され、第１切替部６５および第２切替部６７が、スピーチ調整部６３にマイク信号を処理させるように切替動作し、これにより、スピーチ調整特性に従ってマイク信号が処理される。すなわち、スピーチ用イコライザ７５にてスピーチに適した周波数特性でマイク信号が処理され、さらに、スピーチ音量調整部７７にてスピーチに適した音量設定でマイク信号が処理される。図２に示したように、スピーチ調整特性では、スピーチに不要な周波数成分が抑制されて、ハウリングが低減される。また、ボーカルと比べてスピーチの声が小さい傾向が考慮されて、スピーチ調整特性では音量設定が大きくなっており、スピーチの音量不足が回避される。調整後のマイク信号は、ミキシング部７とエコー処理部１５に供給される。
【００４８】
エコー処理部１５では、オーディオ信号無しの情報が、エコー入力切替部８５に入力され、エコー入力切替部８５は、マイク信号をエコー信号生成部８１へ入力しないように切替動作する。
【００４９】
したがって、オーディオ信号無しのときは、エコー信号は生成されず、ミキシング部７にも入力されない。オーディオ信号もミキシング部７に入力されない。ミキシング部７はマイク信号のみを出力端子９、９へ出力する。このように、オーディオ信号が検出されないときは、エコーはオフになり、スピーチ調整特性に従って処理されたマイク信号のみが出力される。
【００５０】
上記の動作において、オーディオ信号有り状態からオーディオ信号無し状態に切り替わるとき、エコー処理部１５は以下のように動作する。エコー処理部１５では、エコー入力切替部８５が入力側に配置されている。したがって、切替後のマイク信号はエコー入力切替部８５を通過できず、エコー処理もされない。しかし、切替前に既にエコー入力切替部８５を通過したマイク信号は、そのままエコー信号生成部８１およびエコー音量調整部８３で処理されて、ミキシング部７へ出力される。切替前のマイク信号のエコーは最後まで続き、したがって、エコーが突然に不自然に切れるのを防止できる。
【００５１】
次に、手動操作について説明する。ここでは、いわゆるアカペラにて、音楽なしでマイク２３がボーカルに使用されるとする。この場合、オーディオ信号は検出されない。したがって、仮に自動設定に従えば、マイク調整部１３ではスピーチ調整特性が設定され、エコー処理部１５ではエコーがオフになる。ボーカルに適した調整がマイク信号に施されず、エコーもかからない。
【００５２】
そこで、手動操作部１７が操作される。これにより、スイッチ４５が手動側に切り替えられる。そして、手動操作部１７からの操作信号に従い、マイク信号調整部１３の第１切替部６５、第２切替部６７が、ボーカル調整部６３にマイク信号を処理させるように切替動作する。また、エコー処理部１５では、エコー入力切替部８５がマイク信号をエコー信号生成部８３に入力するように切替動作し、これによりエコー信号が生成され、エコー音量調整部８３を経てミキシング部７へ供給される。そして、ミキシング部７は、オーディオ信号は入力されないが、マイク信号とエコー信号を混合して出力する。このようにして、オーディオ信号が無い場合でも、ボーカル調整特性に従ってマイク信号を処理し、エコーもかけ、マイク２３をアカペラボーカル用に好適に使用できる。
【００５３】
以上に本発明の実施の形態に係る音声信号処理装置１について説明した。本実施の形態によれば、オーディオ信号の有無が検出され、オーディオ信号の有無に応じて、マイク信号調整部１３の調整特性が、ボーカル調整特性とスピーチ調整特性の間で切り替えられる。これにより、演奏中はボーカル調整特性に従ってマイク信号を調整でき、演奏が終わるとスピーチ調整特性に従ってマイク信号を調整でき、マイク２３をボーカル用とスピーチ用に好適に利用することができる。
【００５４】
また、本実施の形態によれば、マイク信号調整部１３ではマイク信号の音量が調整され、ボーカル調整特性とスピーチ調整特性とでは音量調整量が異なっており、スピーチ調整特性の音量調整量は、ボーカルとスピーチとの声量差を補う差分量をボーカル調整特性の音量調整量に対して追加した値である。これにより、ボーカル利用時よりもスピーチ利用時の音量を増大させて、スピーチでの音量不足を回避できる。したがって、ボーカル後に同じマイク２３を使用しても、スピーチがよく聞こえるようにすることができる。
【００５５】
また、本実施の形態によれば、マイク信号調整部１３ではマイク信号の音質が調整され、ボーカル調整特性とスピーチ調整特性とでは音質を調整する周波数特性が異なっており、スピーチ調整特性では、ボーカル調整特性の周波数特性に対して、スピーチ利用では不要になる周波数成分が抑制されている。このように、ボーカル利用時と比べてスピーチ利用時に必要な周波数帯域が狭いことに着目し、スピーチ利用時に不要な周波数成分を抑制することにより、ハウリングを低減することができる。
【００５６】
また、本実施の形態によれば、オーディオ信号の有無に応じてエコーのオンオフを切り替えるエコー入力切替部８５が、エコー信号生成部８１の入力側に設けられ、エコーの入力側がミュートされる。これにより、切替時点で既に入力されたマイク信号のエコー処理は最後まで継続される。したがって、エコーが突然に不自然に切れるのを防ぎ、エコーの切れ際を自然にすることができる。
【００５７】
また、本実施の形態によれば、オーディオ信号の音量を調整するオーディオ音量調整部３３を備え、オーディオ音量調整部３３から出力される信号における音量の有無によって、オーディオ信号が検出される。これにより、演奏が終わってオーディオ入力が終了したときだけでなく、オーディオ音量調整部で音量が絞られたときも、マイク２３をスピーチ用に好適に利用することができる。例えば、演奏の途中で急にスピーチが必要になったときにも、オーディオ音量調整部で音量を絞ることにより、マイクを自動的にスピーチ用に好適に利用することができる。
【００５８】
また、本実施の形態によれば、手動操作部１７が設けられ、ボーカル調整特性およびスピーチ調整特性の切替を手動で操作することができる。これにより、演奏無しでマイク２３をボーカル用に利用したいとき、例えばアカペラの場合に、マイク２３をボーカル用に好適に利用できる。
【００５９】
なお、上記の実施の形態では、マイク入力が１チャネルであった。しかし、マイク入力が多チャネルでもよい。この場合、チャネル毎に、上記の構成が設けられ、すなわち、切替可能なマイク信号調整機能もチャネル毎に設けられ、切替可能なエコー処理部もチャネル毎に設けられる。また、オーディオ入力も多チャネルでもよく、この場合には、それら全チャネルにおけるオーディオ信号の有無が検出され、切替制御に利用される。また、出力系統も多チャネル化されてよい。
【００６０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６１】
以上のように、本発明にかかる音声信号処理装置は、マイクをボーカル用とスピーチ用に好適に利用できるという効果を有し、各種施設のミキサ等として有用である。
【図面の簡単な説明】
【００６２】
【図１】本発明の実施の形態における音声信号処理装置のブロック図
【図２】音声信号処理装置で設定されるボーカル調整特性とスピーチ調整特性を示す図
【符号の説明】
【００６３】
１  音声信号処理装置
７  ミキシング部
１１  オーディオ信号検出部
１３  マイク信号調整部
１５  エコー処理部
１７  手動操作部
２１  演奏機器
２３  マイク
６１  ボーカル調整部
６３  スピーチ調整部
６５  第１切替部
６７  第２切替部
７１  ボーカル用イコライザ
７３  ボーカル音量調整部
７５  スピーチ用イコライザ
７７  スピーチ音量調整部
８１  エコー信号生成部
８５  エコー入力切替部
【図１】
2008278003.tif 000003
【図２】
2008278003.tif 000004